(57)【特許請求の範囲】
【請求項１】
複数のリスト情報を表示可能な表示装置と、
前記表示装置に取り付けられたタッチパネルと、
前記タッチパネルに対して行われた操作に基づいて前記表示装置を制御する表示制御部と
を備え、
前記表示制御部は、前記表示装置がリスト情報を表示している際に前記タッチパネルに対して行われたスワイプ操作に基づいて、前記表示装置によって表示される前記リスト情報の表示領域の長さが変化し、前記表示装置によって表示される前記リスト情報の数が変化するとともに前記表示領域の長さの縮小したリスト情報内の要素の文字のうちの最初の２文字または３文字のみを表示するように前記表示装置を制御する、表示操作装置。
【請求項２】
前記表示制御部は、前記表示装置が第１リスト情報を表示している際に前記タッチパネルに対して行われた１回の第１スワイプ操作に基づいて、前記表示装置によって表示される前記第１リスト情報の表示領域の長さを縮小し、前記第１リスト情報および前記第１リスト情報に関連する第２リスト情報を表示するように前記表示装置を制御する、請求項１に記載の表示操作装置。
【請求項３】
前記表示制御部は、前記第１スワイプ操作に基づいて前記第２リスト情報の表示領域の長さが前記第１リスト情報の表示領域の長さよりも大きくなるように前記表示装置を制御する、請求項２に記載の表示操作装置。
【請求項４】
前記表示制御部は、前記表示装置が第１リスト情報を表示している際に前記タッチパネルに対して異なる時間に行われた２回の第１スワイプ操作に基づいて、前記表示装置によって表示される前記第１リスト情報の表示領域の長さを縮小し、前記第１リスト情報ならびに前記第１リスト情報に関連する第２リスト情報および第３リスト情報を表示するように前記表示装置を制御する、請求項１に記載の表示操作装置。
【請求項５】
前記表示制御部は、前記表示装置が第１リスト情報を表示している際に前記タッチパネルの異なる場所で同時に行われた２つの第１スワイプ操作に基づいて、前記表示装置によって表示される前記第１リスト情報の表示領域の長さを縮小し、前記第１リスト情報ならびに前記第１リスト情報に関連する第２リスト情報および第３リスト情報を表示するように前記表示装置を制御する、請求項１に記載の表示操作装置。
【請求項６】
前記表示制御部は、前記表示装置が前記第１リスト情報および前記第２リスト情報を表示している際に前記タッチパネルに対して行われた第２スワイプ操作に基づいて、前記表示装置が前記第２リスト情報を表示することなく、表示領域の長さの拡大した前記第１リスト情報を表示するように前記表示装置を制御する、請求項２に記載の表示操作装置。
【請求項７】
前記タッチパネルは、前記第１スワイプ操作の向きとは逆方向の向きにスワイプ操作が行われた場合、前記逆方向の向きのスワイプ操作を前記第２スワイプ操作として検出する、請求項６に記載の表示操作装置。
【請求項８】
前記リスト情報は、上下方向に沿って配列された複数の要素を含む、請求項１から７のいずれかに記載の表示操作装置。
【請求項９】
前記タッチパネルは、前記タッチパネルに対して左向きまたは右向きのスワイプ操作を検出する、請求項８に記載の表示操作装置。
【請求項１０】
前記表示制御部は、前記リスト情報に対して予め設定されたセキュリティー属性に基づいて、前記表示装置が、前記リスト情報のうちの一部を表示することなく前記リスト情報の他の一部を表示するように前記表示装置を制御する、請求項１から９のいずれかに記載の表示操作装置。
【請求項１１】
表示装置がリスト情報を表示するように前記表示装置を制御するステップと、
前記表示装置が前記リスト情報を表示している際に前記表示装置に取り付けられたタッチパネルに対して行われたスワイプ操作を検出するステップと、
前記スワイプ操作に基づいて、前記表示装置によって表示される前記リスト情報の表示領域の長さが変化し、前記表示装置によって表示される前記リスト情報の数が変化するとともに前記表示領域の長さの縮小したリスト情報内の要素の文字のうちの最初の２文字または３文字のみを表示するように前記表示装置を制御するステップと
をコンピューターに実行させるプログラム。
【発明の詳細な説明】
【技術分野】
【０００１】
本発明は、表示操作装置およびプログラムに関する。
【背景技術】
【０００２】
画像を可変に表示可能な表示装置は広く普及している。例えば、表示装置は、携帯電話、タブレット型コンピューター、携帯型ゲーム機等に搭載されている。また、表示装置は、ＣＤプレイヤー、ＤＶＤプレイヤーおよび各種電子機器の一部としても搭載されている。
【０００３】
一般に、表示装置は、画面サイズおよび文字サイズ等の制約により、画像全体を画面に一度に表示できないことがある。この場合、操作者は、操作手段を用いて画面内で表示する画像を移動させることができる。例えば、操作者は、マウスまたはキーボードを用いて画像を移動させることができる。
【０００４】
近年、表示装置の操作手段としてタッチパネルが広く用いられている。操作者がタッチパネルに対して操作を行うと、タッチパネルは操作者の操作を検出し、表示装置は、操作者の操作に応じて画像を変化させる。
【０００５】
例えば、特許文献１には、文書のコンテンツ一覧とともにコンテンツの属性を表示する情報処理装置が記載されている。特許文献１の情報処理装置は、ユーザーが文書のコンテンツ一覧の見出しにカーソルを合わせると、カーソルの合わせられたコンテンツの属性を表示するように構成されている。
【先行技術文献】
【特許文献】
【０００６】
【特許文献１】特開２０１２−３８３５６号公報
【発明の概要】
【発明が解決しようとする課題】
【０００７】
しかしながら、特許文献１の情報処理装置では、コンテンツとは別に見出しを表示することが必要であり、表示装置の画面が狭い場合、操作者に必要な情報を充分に表示できないことがある。
【０００８】
本発明は、上記課題に鑑みてなされたものであり、表示されるリスト情報を容易に変更可能な表示操作装置、および、プログラムを提供することを目的としている。
【課題を解決するための手段】
【０００９】
本発明による表示操作装置は、表示装置と、タッチパネルと、表示制御部とを備える。前記表示装置は、複数のリスト情報を表示可能である。前記タッチパネルは、前記表示装置に取り付けられている。前記表示制御部は、前記タッチパネルに対して行われた操作に基づいて前記表示装置を制御する。前記表示制御部は、前記表示装置がリスト情報を表示している際に前記タッチパネルに対して行われたスワイプ操作に基づいて、前記表示装置によって表示される前記リスト情報の表示領域が変化し、前記表示装置によって表示される前記リスト情報の数が変化するように前記表示装置を制御する。
【００１０】
本発明によるプログラムは、以下のステップをコンピューターに実行させる。ステップは、（１）表示装置がリスト情報を表示するように前記表示装置を制御するステップ、（２）前記表示装置が前記リスト情報を表示している際に前記表示装置に取り付けられたタッチパネルに対して行われたスワイプ操作を検出するステップ、および、（３）前記スワイプ操作に基づいて、前記表示装置によって表示される前記リスト情報の表示領域が変化し、前記表示装置によって表示される前記リスト情報の数が変化するように前記表示装置を制御するステップである。
【発明の効果】
【００１１】
本発明によれば、表示されるリスト情報を容易に変更することができる。
【図面の簡単な説明】
【００１２】
【図１】本実施形態の表示操作装置の模式図である。
【図２】本実施形態の表示操作装置において表示対象となるリスト情報の全体を示す模式図である。
【図３】（ａ）はスワイプ操作前の表示操作装置を示す模式図であり、（ｂ）はタッチパネルに対するスワイプ操作を示す模式図であり、（ｃ）はスワイプ操作後の表示操作装置を示す模式図であり、（ｄ）は２回目のスワイプ操作後の表示操作装置を示す模式図である。
【図４】（ａ）はスワイプ操作前の表示操作装置を示す模式図であり、（ｂ）はタッチパネルに対する同時スワイプ操作を示す模式図であり、（ｃ）は同時スワイプ操作後の表示操作装置を示す模式図である。
【図５】（ａ）は逆スワイプ操作前の表示操作装置を示す模式図であり、（ｂ）はタッチパネルに対する逆スワイプ操作を示す模式図であり、（ｃ）は逆スワイプ操作後の表示操作装置を示す模式図である。
【図６】本実施形態のプログラムによって実行されるプロセスを示すフローチャートである。
【発明を実施するための形態】
【００１３】
以下、図面を参照して本発明による表示操作装置およびプログラムの実施形態を説明する。ただし、本発明は以下の実施形態に限定されない。
【００１４】
まず、図１を参照して本実施形態の表示操作装置１００を説明する。表示操作装置１００は、例えば、スマートフォンまたはパソコンの一部として用いられる。
【００１５】
図１は、表示操作装置１００の模式図である。表示操作装置１００は、表示装置１０と、タッチパネル２０と、表示制御部３０とを備える。
【００１６】
表示装置１０は画像を表示する。例えば、表示装置１０は画面に任意の画像を表示する。典型的には、表示装置１０は２つの主面と４つの側面とを有しており、表示装置１０の画面は２つの主面のうちの一方の主面に位置している。表示装置１０は、液晶表示装置であってもよく、有機ＥＬ表示装置であってもよい。
【００１７】
タッチパネル２０は表示装置１０に取り付けられる。タッチパネル２０は操作者の操作を検出する。タッチパネル２０は、表示装置１０と一体的に構成されていてもよい。あるいは、タッチパネル２０は、表示装置１０から分離可能なように構成されていてもよい。
【００１８】
典型的には、タッチパネル２０は２つの主面と４つの側面とを有している。タッチパネル２０は、２つの主面の一方から他方まで透明な透明領域を有している。タッチパネル２０の透明領域は、表示装置１０の画面と重なるように設けられている。表示操作装置１００の操作者はタッチパネル２０を介して表示装置１０の表示を視認できる。
【００１９】
表示操作装置１００の操作者は、タッチパネル２０を操作する。典型的には、操作者は、操作者自身の指でタッチパネル２０を操作する。また、典型的には、操作者は、タッチパネル２０のうち表示装置１０の画面と重なる位置に対して操作を行う。操作者がタッチパネル２０を操作すると、タッチパネル２０は操作者の操作を検出する。
【００２０】
表示制御部３０は表示装置１０を制御する。例えば、表示制御部３０は、タッチパネル２０の検出結果に基づいて表示装置１０の表示する画像を変更する。例えば、表示制御部３０は、中央演算処理装置（Ｃｅｎｔｒａｌ  Ｐｒｏｃｅｓｓｉｎｇ  Ｕｎｉｔ）、または、特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）を含む。
【００２１】
なお、図１に示すように、表示操作装置１００は、記憶部４０をさらに備えることが好ましい。記憶部４０は、表示装置１０によって表示される画像を記憶する。また、記憶部４０は、表示制御部３０の動作を制御するプログラムを記憶していてもよい。
【００２２】
記憶部４０は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００２３】
ただし、表示操作装置１００は、記憶部４０を備えなくてもよい。例えば、表示装置１０に表示される画像および／または表示制御部３０を制御するためのプログラムは、表示操作装置１００の外部にある外部記憶装置から通信部を介して読み出してもよい。
【００２４】
本実施形態の表示操作装置１００において、表示装置１０は複数のリスト情報を表示可能である。操作者は、タッチパネル２０に対してスワイプ操作を行う。典型的には、スワイプ操作は操作者の指によって行われる。特に、スワイプ操作は操作者の利き手の人差し指で行われることが多い。ただし、スワイプ操作は、タッチパネル２０によって検出されればよく、専用の棒または任意の棒で行われてもよい。
【００２５】
典型的には、スワイプ操作は、タッチパネル２０に対して左向きまたは右向きに行われる。なお、操作者のスワイプ操作は必ずしも水平方向に平行に行われなくてもよい。例えば、操作者のスワイプ操作は斜め方向に行われてもよい。この場合、操作者のスワイプ操作が斜め方向であっても、斜め方向の成分のうち水平方向に投影した成分が左向き成分を有している場合、タッチパネル２０は、操作者のスワイプ操作が左向きに行われたことを検出してもよい。
【００２６】
操作者がタッチパネル２０を操作すると、タッチパネル２０は操作者のスワイプ操作を検出する。この場合、表示制御部３０は、スワイプ操作に基づいて、表示装置１０によって表示されるリスト情報の表示領域が変化し、表示装置１０によって表示されるリスト情報の数が変化するように表示装置１０を制御する。
【００２７】
図２は、本実施形態の表示操作装置１００において表示対象となる全体情報ＤＬを示す模式図である。典型的には、全体情報ＤＬは、図１に示した記憶部４０に記憶されている。表示制御部３０は、必要に応じて、表示装置１０が図２に示した全体情報ＤＬを表示するように表示装置１０を制御できる。
【００２８】
ここでは、全体情報ＤＬは、リスト情報Ｌ１と、リスト情報Ｌ２と、リスト情報Ｌ３とを含む。リスト情報Ｌ１、Ｌ２、Ｌ３は複数の要素を含む。リスト情報Ｌ１、Ｌ２、Ｌ３のそれぞれは、縦方向すなわち上下方向に配列された複数の要素を有している。なお、本明細書において、リスト情報Ｌ１、Ｌ２、Ｌ３をそれぞれ第１リスト情報Ｌ１、第２リスト情報Ｌ２および第３リスト情報Ｌ３と記載することがある。
【００２９】
リスト情報Ｌ１の各要素は同一事項についての情報である。ただし、リスト情報Ｌ１の各要素の情報は必ずしも同じである必要はない。むしろ、リスト情報Ｌ１の各要素の情報は互いに異なることが好ましい。
【００３０】
また、リスト情報Ｌ２の各要素は、リスト情報Ｌ１の事項とは異なる同一の事項についての情報を有している。さらに、リスト情報Ｌ３の各要素は、リスト情報Ｌ１、Ｌ２の事項とは異なる同一の事項についての情報を有している。
【００３１】
例えば、リスト情報Ｌ１の事項は名前であり、リスト情報Ｌ１の各要素は名前についての情報を有している。リスト情報Ｌ２の事項は電話番号であり、リスト情報Ｌ２の各要素は電話番号についての情報を有している。また、リスト情報Ｌ３の事項はＦＡＸ番号であり、リスト情報Ｌ３の各要素はＦＡＸ番号についての情報を有している。
【００３２】
リスト情報Ｌ１、Ｌ２、Ｌ３は互いに関連している。具体的には、リスト情報Ｌ１、Ｌ２、Ｌ３の同じ列は同一の事項について共通の情報を有している。例えば、リスト情報Ｌ１、Ｌ２、Ｌ３のある列は、リスト情報Ｌ１、Ｌ２、Ｌ３の別の列とは異なる事項についての共通の情報を有している。
【００３３】
ここでは、リスト情報Ｌ１、Ｌ２、Ｌ３の第１列の情報は、各リスト情報の項目を示す情報である。リスト情報Ｌ１、Ｌ２、Ｌ３の第１列の情報は、それぞれ、名前（Ｎａｍｅ）、電話番号（Ｔｅｌ）およびＦａｘ番号（Ｆａｘ）である。
【００３４】
また、リスト情報Ｌ１、Ｌ２、Ｌ３の第２列はある人物についての情報を有しており、リスト情報Ｌ１、Ｌ２、Ｌ３の第３列は別の人物についての情報を有している。具体的には、リスト情報Ｌ１、Ｌ２、Ｌ３の第２列の情報は、名前ＡＡＡＡＡＡ、電話番号０００−００００−０００、および、ＦＡＸ番号０００−０００１−０００である。リスト情報Ｌ１、Ｌ２、Ｌ３の第３列の情報は、名前ＢＢＢＢＢＢ、電話番号０００−００００−００１、ＦＡＸ番号０００−０００１−００１である。
【００３５】
なお、典型的には、リスト情報Ｌ１は、リスト情報Ｌ２、Ｌ３よりも優先度の高い情報であることが好ましい。また、リスト情報Ｌ２はリスト情報Ｌ３よりも優先度の高い情報であることが好ましい。ただし、リスト情報Ｌ１、Ｌ２、Ｌ３の優先度は、操作者によって設定可能であることが好ましい。さらに、リスト情報Ｌ１、Ｌ２、Ｌ３の優先度は、必要に応じて変更可能であることが好ましい。
【００３６】
以下、図１および図３を参照して本実施形態による表示操作装置１００の動作を説明する。図３（ａ）はスワイプ操作前の表示操作装置１００を示す模式図であり、図３（ｂ）はタッチパネル２０に対するスワイプ操作を示す模式図である。また、図３（ｃ）はスワイプ操作後の表示操作装置１００を示す模式図である。さらに、図３（ｄ）は２回目のスワイプ操作後の表示操作装置１００を示す模式図である。
【００３７】
図３（ａ）に示すように、表示装置１０は画面全体にリスト情報Ｌ１を表示する。リスト情報Ｌ１の複数の要素は表示装置１０の画面に対して上下方向に沿って配列されている。
【００３８】
操作者は、図３（ｂ）に示すように、タッチパネル２０に対してスワイプ操作を行う。ここでは、操作者は、人差し指でタッチパネル２０にタッチし、タッチパネル２０に対して人差し指を左向きに動かしてスワイプ操作を行う。
【００３９】
タッチパネル２０は、操作者のスワイプ操作を検出する。タッチパネル２０に対してスワイプ操作が行われると、表示装置１０は、図３（ｃ）に示すように、第１リスト情報Ｌ１の表示領域を縮小し、リスト情報Ｌ１に加えて新たなリスト情報Ｌ２を表示する。この場合、表示制御部３０は、スワイプ操作に基づいて、表示装置１０によって表示される第１リスト情報Ｌ１の表示領域を縮小し、第１リスト情報Ｌ１に加えて第２リスト情報Ｌ２を表示するように表示装置１０を制御する。
【００４０】
ここでは、スワイプ操作後の第１リスト情報Ｌ１の表示領域の幅（第１リスト情報Ｌ１の左右方向の大きさ）は、スワイプ操作前の第１リスト情報Ｌ１の表示領域の幅よりも小さくなる。例えば、スワイプ操作前の第１リスト情報Ｌ１の表示領域の幅とスワイプ操作後の第１リスト情報Ｌ１の表示領域の幅との比は６：１である。
【００４１】
なお、リスト情報Ｌ１の表示領域を縮小する場合、表示領域の縮小に伴い、リスト情報Ｌ１内の各要素の文字のすべてを表示できないことがある。この場合でも、リスト情報Ｌ１内の各要素の文字のうちの最初の数文字のみを表示することが好ましい。例えば、表示領域の縮小されたリスト情報Ｌ１において、各要素の文字は初めの２文字または３文字のみ表示することが好ましい。
【００４２】
スワイプ操作後の表示操作装置１００において、第２リスト情報Ｌ２の表示領域の幅は第１リスト情報Ｌ１の表示領域の幅よりも大きいことが好ましい。この場合、表示制御部３０は、スワイプ操作に基づいて第２リスト情報Ｌ２の表示領域の幅が第１リスト情報Ｌ１の表示領域の幅よりも大きくなるように表示装置１０を制御する。
【００４３】
なお、操作者は、１回スワイプ操作の行われたタッチパネル２０に対してさらにスワイプ操作を行ってもよい。操作者が２回目のスワイプ操作を行うと、表示装置１０は、図３（ｄ）に示すように、第２リスト情報Ｌ２の表示領域を縮小し、リスト情報Ｌ１および第２リスト情報Ｌ２に加えて新たなリスト情報Ｌ３を表示する。この場合、表示制御部３０は、スワイプ操作に基づいて、表示装置１０によって表示される第２リスト情報Ｌ２の表示領域を縮小し、第１リスト情報Ｌ１および第２リスト情報Ｌ２に加えて第３リスト情報Ｌ３を表示するように表示装置１０を制御する。
【００４４】
なお、２回目のスワイプ操作に基づいてリスト情報Ｌ２の表示領域を縮小する場合、リスト情報Ｌ２の表示領域の幅はリスト情報Ｌ１の表示領域の幅と同程度になるまでリスト情報Ｌ２を縮小してもよい。また、２回目のスワイプ操作後、表示装置１０において第３リスト情報Ｌ３の表示領域の幅は第１リスト情報Ｌ１の表示領域および第２リスト情報Ｌ２の表示領域のそれぞれの幅よりも大きいことが好ましい。この場合、表示制御部３０は、２回目のスワイプ操作に基づいて第３リスト情報Ｌ３の表示領域の幅が第１リスト情報Ｌ１の表示領域および第２リスト情報Ｌ２の表示領域のそれぞれの幅よりも大きくなるように表示装置１０を制御する。
【００４５】
なお、表示装置１０は、リスト情報に含まれる要素のすべての情報を表示しなくてもよい。例えば、図３（ｄ）に示した表示装置１０において、第３リスト情報Ｌ３において第５列目は空白である。リスト情報Ｌ３の第５列目の情報は、非表示となるようにセキュリティー属性が予め設定されている。このため、表示制御部３０は、表示装置１０が第３リスト情報Ｌ３の第５列目を表示しないように表示装置１０を制御する。このように、表示制御部３０は、リスト情報Ｌ３に対して予め設定されたセキュリティー属性に基づいて、表示装置１０がリスト情報Ｌ３の一部を表示することなくリスト情報Ｌ３の他の一部を表示するように表示装置１０を制御してもよい。
【００４６】
なお、上述した説明では、表示装置１０は、３つのリスト情報（すなわち、リスト情報Ｌ１、Ｌ２、Ｌ３）を表示したが、表示装置１０の表示可能なリスト情報は３つに限定されない。表示装置１０は、４以上のリスト情報を表示してもよい。
【００４７】
また、上述した説明では、操作者がスワイプ操作を１回行うごとに表示装置１０の表示するリスト情報の数は１個ずつ増加したが、本発明はこれに限定されない。タッチパネル２０は操作者によって複数のスワイプ操作が同時に行われたことを検出すると、表示装置１０は、表示するリスト情報の数を複数個増加させてもよい。
【００４８】
以下、図１および図４を参照して本実施形態による表示操作装置１００の動作を説明する。図４（ａ）はスワイプ操作前の表示操作装置１００を示す模式図であり、図４（ｂ）はタッチパネル２０に対する同時スワイプ操作を示す模式図であり、図４（ｃ）は同時スワイプ操作後の表示操作装置１００を示す模式図である。
【００４９】
図４（ａ）に示すように、表示装置１０はリスト情報Ｌ１を表示している。リスト情報Ｌ１の複数の要素は表示装置１０の画面に対して上下方向に沿って配列されている。
【００５０】
操作者は、図４（ｂ）に示すように、タッチパネル２０に対して人差し指および中指でタッチパネル２０にタッチして左向きにスライドさせてスワイプ操作を行う。この場合、タッチパネル２０は、同時に行われた２つのスワイプ動作を検出する。本明細書の以下の説明において同時に行われる２以上のスワイプ操作を「同時スワイプ操作」と記載することがある。
【００５１】
同時スワイプ操作に伴い、表示装置１０は、図４（ｃ）に示すように、リスト情報Ｌ１の表示領域を縮小し、リスト情報Ｌ１に加えて新たなリスト情報Ｌ２およびリスト情報Ｌ３を表示する。この場合、表示制御部３０は、同時スワイプ操作に基づいて、表示装置１０によって表示される第１リスト情報Ｌ１の表示領域を縮小し、第１リスト情報Ｌ１に加えて第２リスト情報Ｌ２および第３リスト情報Ｌ３を表示するように表示装置１０を制御する。なお、ここでは、リスト情報Ｌ３の表示領域の幅はリスト情報Ｌ１およびリスト情報Ｌ２の表示領域の幅よりも大きく、リスト情報Ｌ２の表示領域の幅はリスト情報Ｌ１の表示領域の幅とほぼ等しい。
【００５２】
なお、図４を参照した上述の説明では、操作者がタッチパネル２０に対して２つのスワイプ操作を同時に行い、表示装置１０の表示するリスト情報の数が２つ増加したが、本発明はこれに限定されない。例えば、操作者がタッチパネル２０に対して３つ以上のスワイプ操作を同時に行い、表示装置１０の表示するリスト情報の数が３つ以上増加してもよい。あるいは、操作者がタッチパネル２０に対して３つ以上のスワイプ操作を同時に行った場合でも、表示装置１０の表示するリスト情報の数は２つだけ増加してもよい。
【００５３】
また、上述した説明では、説明が過度に複雑になることを避けるために、操作者がタッチパネル２０に対して少なくとも１回目のスワイプ操作を行う際には、表示装置１０は１つのリスト情報Ｌ１を表示していたが、本発明はこれに限定されない。操作者がタッチパネル２０に対して少なくとも１回目のスワイプ操作を行う際に表示装置１０が２以上のリスト情報を表示しており、スワイプ操作に基づいて表示装置１０の表示するリスト情報の数が変化してもよい。例えば、操作者が１回目のスワイプ操作を行う前に、表示装置１０は、図３（ｃ）に示すように、リスト情報Ｌ１およびリスト情報Ｌ２を同時に表示していてもよい。
【００５４】
また、上述した説明では、タッチパネル２０に対して１方向に行われたスワイプ操作に基づいて、表示装置１０は、前に表示していたリスト情報の表示領域を縮小するとともに、別のリスト情報を新たに表示したが、本発明はこれに限定されない。リスト情報の表示領域を縮小させるスワイプ操作とは別方向に向かって行われたスワイプ操作に基づいて、表示装置１０は、表示するリスト情報の数を減らすとともに表示領域を拡大させたリスト情報を表示してもよい。
【００５５】
以下、図５を参照して本実施形態の表示操作装置１００の動作を説明する。図５（ａ）は逆スワイプ操作前の表示操作装置１００を示す模式図であり、図５（ｂ）はタッチパネル２０に対する逆スワイプ操作を示す模式図であり、図５（ｃ）は逆スワイプ操作後の表示操作装置１００を示す模式図である。
【００５６】
図５（ａ）に示すように、表示装置１０はリスト情報Ｌ１およびリスト情報Ｌ２を表示している。リスト情報Ｌ１およびＬ２のそれぞれの複数の要素は表示装置１０の画面に対して上下方向に沿って配列されている。ここでは、第２リスト情報Ｌ２の表示領域の幅は第１リスト情報Ｌ１の表示領域の幅よりも大きい。
【００５７】
操作者は、図５（ｂ）に示すように、タッチパネル２０に対してスワイプ操作を行う。ここでは、操作者はスワイプ操作を右向きに行う。本明細書において右向きに行われたスワイプ操作を「逆スワイプ操作」と記載することがある。
【００５８】
タッチパネル２０が逆スワイプ操作を検出すると、表示装置１０は、図５（ｃ）に示すように、表示装置１０において第２リスト情報Ｌ２が消去され、第１リスト情報Ｌ１の表示領域が拡大する。この場合、表示制御部３０は、逆スワイプ操作に基づいて、表示装置１０が第２リスト情報Ｌ２を表示することなく表示領域の拡大した第１リスト情報Ｌ１を表示するように表示装置１０を制御する。以上のように、第１スワイプ操作の向きとは逆方向の向きにスワイプ操作が行われた場合、表示制御部３０は、逆方向の向きのスワイプ操作を第２スワイプ操作として検出することが好ましい。
【００５９】
なお、図１および図５を参照した説明では、操作者は指１本で逆スワイプ操作を行い、逆スワイプ操作に基づいて表示装置１０は表示されていたリスト情報Ｌ２を消去したが、本発明はこれに限定されない。表示装置１０が予め３以上のリスト情報を表示している場合、操作者は指２本で逆スワイプ操作を行い、表示装置１０は逆スワイプ操作に基づいて２つのリスト情報を消去してもよい。
【００６０】
また、図１〜図５を参照して上述した説明から理解されるように、本実施形態の表示操作装置１００において、操作者が左向きのスワイプ操作を行うと、表示装置１０においてリスト情報Ｌ１の右側に新たなリスト情報Ｌ２が追加され、一方、操作者が右向きのスワイプ操作を行うと、表示装置１０においてリスト情報Ｌ２が画面から消去されてもよい。
【００６１】
なお、上述したように、図１に示した記憶部４０は表示制御部３０の動作を制御するプログラムを記憶してもよい。本実施形態の表示操作装置１００において、記憶部４０は、操作者の操作に基づいて表示装置１０の表示を制御するためのコンピュータープログラムを記憶してもよい。
【００６２】
また、表示制御部３０（コンピューター）は、以下のように表示装置１０を制御してもよい。（１）表示装置１０がリスト情報を表示する。（２）表示装置１０がリスト情報を表示している際にタッチパネル２０に対して行われたスワイプ操作を検出すると、スワイプ操作に基づいて、表示装置１０によって表示されるリスト情報の表示領域が変化し、表示装置１０によって表示されるリスト情報の数が変化する。
【００６３】
以下、図１および図６を参照して、本実施形態のプログラムによって実行されるプロセスを示すフローチャートを説明する。図６は、本実施形態のプログラムによって実行されるプロセスを示すフローチャートである。表示制御部３０は、記憶されたプログラムを読み出して、図６を参照する動作を実行してもよい。
【００６４】
Ｓ６０２において、表示制御部３０は表示装置１０がリスト情報を表示するように表示装置１０を制御する。表示装置１０が表示するリスト情報は２以上であってもよい。また、例えば、表示制御部３０は、タッチパネル２０の検出結果に基づいて、表示装置１０がリスト情報を表示するように表示装置１０を制御してもよい。
【００６５】
次に、Ｓ６０４において、表示制御部３０は、タッチパネル２０がスワイプ操作を検出したか否かを判定する。タッチパネル２０がスワイプ操作を検出していない場合（Ｓ６０４においてＮｏの場合）、表示制御部３０は、再度、タッチパネル２０がスワイプ操作を検出したか否かを判定する。
【００６６】
タッチパネル２０がスワイプ操作を検出した場合（Ｓ６０４においてＹｅｓの場合）、Ｓ６０６において、表示制御部３０はスワイプ操作が左向きであるか否かを判定する。スワイプ操作が左向きである場合（Ｓ６０６においてＹｅｓの場合）、表示制御部３０は、Ｓ６０８において、タッチパネル２０に対して行われたスワイプ操作の回数が１回であるか否か判定する。
【００６７】
タッチパネル２０に対して行われたスワイプ操作の回数が１回である場合（Ｓ６０８においてＹｅｓの場合）、表示制御部３０は、表示装置１０によって表示されるリスト情報のうちの少なくとも１つのリスト情報の表示領域を縮小し、表示装置１０によって表示されるリスト情報の数を１つ増加させる。
【００６８】
タッチパネル２０に対して行われたスワイプ操作の回数が１回でなかった場合（Ｓ６０８においてＮｏの場合）、表示制御部３０は、表示装置１０によって表示されるリスト情報のうちの少なくとも１つのリスト情報の表示領域を縮小し、表示装置１０によって表示されるリスト情報の数を２つ増加させる。
【００６９】
スワイプ操作が左向きではない場合（Ｓ６０６においてＮｏの場合）、表示制御部３０は、Ｓ６１０において、タッチパネル２０に対して行われたスワイプ操作の回数が１回であるか否か判定する。
【００７０】
タッチパネル２０に対して行われたスワイプ操作の回数が１回である場合（Ｓ６１０においてＹｅｓの場合）、表示制御部３０は、表示装置１０によって表示されるリスト情報のうちの少なくとも１つのリスト情報の表示領域を増加させ、表示装置１０によって表示されるリスト情報の数を１つ減らす。
【００７１】
タッチパネル２０に対して行われたスワイプ操作の回数が１回でなかった場合（Ｓ６１０においてＮｏの場合）、表示制御部３０は、表示装置１０によって表示されるリスト情報のうちの少なくとも１つのリスト情報の表示領域を増加させ、表示装置１０によって表示されるリスト情報の数を２つ減らす。
【００７２】
また、上述した説明では、表示装置１０に表示されるリスト情報のそれぞれは、縦方向すなわち上下方向に配列された複数の要素を有していたが、本発明はこれに限定されない。表示装置１０に表示されるリスト情報のそれぞれは、横方向すなわち左右方向に配列された複数の要素を有してもよい。
【００７３】
また、上述した説明では、表示装置１０に表示される複数のリスト情報はタッチパネル２０に対して左右方向に並んで表示されたが、本発明はこれに限定されない。表示装置１０に表示される複数のリスト情報はタッチパネル２０に対して上下方向に並んで表示されてもよい。この場合、スワイプ操作は、タッチパネル２０に対して上下方向に沿って行われ、スワイプ操作に伴い、リスト情報の長さ（リスト情報の上下方向の大きさ）が変化してもよい。
【００７４】
また、図面を参照した上述の説明では、１以上のリスト情報が表示装置１０の画面全体に表示されていたが、本発明はこれに限定されない。１以上のリスト情報は、表示装置１０内の１つのウィンドウ内に表示されてもよい。
【００７５】
また、本実施形態の表示操作装置１００の態様は特に限定されない。表示操作装置１００は、スマートフォンまたはタブレット型コンピューターの一部として用いられてもよい。あるいは、表示操作装置１００は、ＣＤプレイヤー、ＤＶＤプレイヤー、および、各種電子機器の一部として用いられてもよい。例えば、表示操作装置１００は、画像形成装置の一部として用いられてもよい。さらに具体的には、表示操作装置１００の用いられる画像形成装置は、プリンター、または、複写機能だけでなく、スキャナーおよび／またはファクシミリの各機能を有してもよい。
【産業上の利用可能性】
【００７６】
本実施形態によれば、表示されるリスト情報を容易に変更できる。
【符号の説明】
【００７７】
１０  表示装置
２０  タッチパネル
３０  表示制御部
４０  記憶部
１００  表示操作装置
【図１】
0006455466.tif 000002
【図２】
0006455466.tif 000003
【図３】
0006455466.tif 000004
【図４】
0006455466.tif 000005
【図５】
0006455466.tif 000006
【図６】
0006455466.tif 000007